(57)【要約】【課題】  屋内用ブラインド、プリーツスクリーン、ローマンシェード等に使用する昇降コードの下端部を、結び目を作らずに、ボトムレールに固定する機構であって、複数の昇降コードの長さを容易に調整することができるものを提供する。【解決手段】  上面開口を有するボトムレールに脱着可能に固定されるベースに、昇降コードの下端部を導入する案内部と、昇降コードの下端部を巻き付けて固定する固定部とを、ボトムレール上面開口から露出するように設けて昇降コード固定機構を形成する。【選択図】        図１
2005256513.tif 000002
【特許請求の範囲】
【請求項１】
上面開口を有するボトムレールに脱着可能に固定されるベースからなる昇降コード下端部固定機構において、昇降コード下端部を導入する案内部と前記昇降コード下端部を固定する固定部が前記上面開口から露出するように前記ベースに設けられ、前記案内部は、前記ベースと一体に形成され、前記固定部は前記昇降コード下端部を巻き付けて固定することを特徴とする昇降コード固定機構。
【請求項２】
ベースは、ボトムレールの底板部と上面開口を形成する前後板部の間に挿入されることを特徴とする請求項１に記載の昇降コード固定機構。
【請求項３】
固定部は、平板状のベース部と、前記ベース部に立設する軸部と、前記軸部から広がるカバー部とからなり、昇降コードの下端部は前記軸部に巻き付けられ、前記ベース部と前記カバー部の対向面の一方又は双方に突起が設けられ、前記突起は前記ベース部と前記カバー部の間隙を前記昇降コードの外径よりも狭めることを特徴とする請求項１又は２に記載の昇降コード固定機構。
【請求項４】
突起は半径方向に延長することを特徴とする請求項３に記載の昇降コード固定機構。
【請求項５】
固定部は、平板状のベース部と、前記ベース部に設ける少なくとも２つコード通し孔とからなり、昇降コードの下端部は２つの前記コード通し孔の間に巻き付けられ、２つの前記コード通し孔は、上から見ると、相対向する角部を有することを特徴とする請求項１又は２に記載の昇降コード固定機構。
【請求項６】
固定部は、ベースと一体であることを特徴とする請求項３又は５に記載の昇降コード固定機構。
【請求項７】
固定部は、ベースに起立回転可能に支持されることを特徴とする請求項３又は５に記載の昇降コード固定機構。
【発明の詳細な説明】
【技術分野】
【０００１】
本発明は、屋内用ブラインド、プリーツスクリーン、ローマンシェード等に使用する昇降コードの下端部をボトムレール等に固定する機構に関する。
【背景技術】
【０００２】
屋内用ブラインド、プリーツスクリーン、ローマンシェード等に使用する昇降コードの下端をボトムレール等に固定する従来の機構は、ボトムレールの所定位置に取り付け可能なベースと、そのベースに設けた昇降コード孔とからなり、その昇降コード孔に通した昇降コード下端部の結び玉を介してボトムレールに昇降コードを係止する方式である。この結び玉方式は、複数の昇降コードの長さを調整するとき、昇降コード下端部の結び玉を解いて結び直すため、複数の昇降コードの長さを揃える作業が厄介であるという問題があった。
【０００３】
結び玉を作らずに昇降コード下端部をボトムレールに固定する機構は、特開２００２−５４３７４号公報に記載されている。その機構は、ボトムレールに巻取ドラムを設け、その巻取ドラムに昇降コード下端部を巻き取り可能に止着する方式である。この巻取ドラム方式は、ボトムレール内の巻取ドラムに昇降コード下端部を止着する作業が厄介であり、複数の昇降コードの長さを揃える作業に手間取るという問題があった。
【特許文献１】実用新案登録第２６０２２１９号公報
【特許文献２】特開２００２−５４３７４号公報
【発明の開示】
【発明が解決しようとする課題】
【０００４】
本発明は、上記問題を解決するためになされたものであり、その課題は、屋内用ブラインド、プリーツスクリーン、ローマンシェード等に使用する昇降コードの下端部を、結び玉を作らずにボトムレール等に固定する機構であって、複数の昇降コードの長さを容易に調整することができるものを提供することである。
【課題を解決するための手段】
【０００５】
前記課題を解決するため、本発明が採用する手段は、上面開口を有するボトムレールに脱着可能に固定されるベースからなる昇降コード下端部固定機構において、昇降コード下端部を導入する案内部と前記昇降コード下端部を固定する固定部を、べーすにボトムレールの上面開口から露出するように設け、案内部をベースと一体に形成し、昇降コード下端部を固定部に巻き付けることを特徴とする。
【発明の効果】
【０００６】
本発明の昇降コード固定機構は、案内部と固定部がボトムレールの上面開口から露出するから、垂下する複数本の昇降コードの下端部を、案内部に挿通して固定部へ引き出し、ついで、各昇降コードの長さが一様になるように調整して下端部を固定部に巻き付け固定する作業は至極容易に実施することができる。
【発明を実施するための最良の形態】
【０００７】
本発明の昇降コードの下端部を固定する機構は、上面開口を有するボトムレールに脱着可能に固定されるベースと、ベースと一体に形成されて昇降コード下端部を導入する案内部と、昇降コード下端部を巻き付けて固定する固定部とからなり、案内部と固定部は、ベースにボトムレールの上面開口から露出するように設けられる。
ベースは、ボトムレールの底板部と上面開口を形成する前後板部の間に弾性突起等を介して挿入することが好ましい。固定部は、平板状のベース部と、ベース部に立設する軸部と、軸部から広がるカバー部とから形成することができる。この場合、軸部に昇降コードを巻き付け、ベース部とカバー部の対向面の一方又は双方に突起を、例えば、半径方向に延長する突起を設けてベース部とかバー部の間隙を昇降コードの外径よりも狭める。また、固定部は、平板状のベース部と、そのベース部に設ける２つのコード通し孔とから形成することも可能である。この場合、ベース部の２つのコード通し孔の間の部分に昇降コードを巻き付ける。２つの前記コード通し孔は、上から見ると、相対向する角部を有する形状、例えば、頂角が対向する鋭角２等辺３角形であることが好ましい。固定部は、コストの点では、ベースと一体に形成することが好ましいが、作業性の点では、ベースとは別体とし、ベースに起立回転可能に支持することが好ましい。
【実施例】
【０００８】
図面に示す本発明の昇降コード固定機構の実施例に基づいて、本発明を説明する。図１は、ボトムレールに取り付けた第１実施例の平面図、図２及び図３は第１実施例の左側面図及び右側面図である。
【０００９】
図１、図２、図３に示すように、昇降コード固定機構は、べース１と、そのベース１と一体に形成される案内部２と固定部３とからなり、上面開口４を有するボトムレール５に取り付けられる。ベース１は、ボトムレール５の底面板部６と上面開口４を形成するリム７の間に挿入され、ベース１の前後に形成される弾性突起８を介してボトムレール５に着脱自在に、ボトムレール長手方向取付位置調整可能に固定される。
【００１０】
案内部２と固定部３は、ボトムレール５の上面開口４から露出する。案内部２は、ベース１から直立する柱体であり、外面側に昇降コードを垂直に挿通する案内溝９を備え、案内溝９の下端部には挿通する昇降コ−ドを固定部３へ導く出口１０が設けられる。
【００１１】
固定部３は、ベース１の中央から案内部２とは反対の方向に延長する平板状のベース部部１１と、そのベース部１１から垂直に立ち上がる長円柱状の軸部１２と、その軸部１２の上部に広がる長円板状のカバー部１３とからなる。ベース部１１とカバー部１３の対向面には長半径方向に延長する突起１４が形成される。ベース部１１とカバー部１３の間隙は、突起１４部分を除くと、昇降コードの外径と略同じであるが、突起１４部分の間隙は昇降コードの外径よりも小さい。
【００１２】
図４は、第１実施例を使用して昇降コードの下端部をりボトムレールに固定する状態を示す縦断面図である。図４に示すように、垂下する昇降コード１５の下端部１６を、案内部２の案内溝９に挿通すると、その先端は出口から１０から突出する。その先端をつまんで下端部を固定部３側に引き出し、軸部１２に１回又は２回巻き付ける。このとき、ベース部１１とカバー部１３の突起１４が昇降コード１５に食い込むから、昇降コード１５の下端部１６は強固にベース１に固定される。この昇降コード１５の下端部をベースに巻き付け固定する作業は、ボトムレール５の上面開口４から露出するベース１の案内部２と固定部３において行われるから、容易に実施可能である。
【００１３】
次に、第２実施例について説明する。図５及び図６は、第２実施例の平面図及び正面図である。固定部３ａは回転軸１７を介してベース１ａに起立回転可能に支持される。固定部３ａは、回転軸１７の中央から案内部２とは反対の方向に延長する平板状のベース部１１ａと、そのベース部１１ａから垂下する長円柱状の軸部１２ａと、その軸部１２ａの下部に広がる長円板状のカバー部１３ａとからなる。ベース部１１ａの対向面の長半径上には突起１４ａが形成される。ベース部１１ａとカバー部１３ａの間隙は、突起１４ａ部分を除くと、昇降コードの外径と略同じであるが、突起１４ａ部分の間隙は昇降コードの外径よりも小さい。
【００１４】
図７は、第２実施例を使用して昇降コードの下端部をりボトムレールに固定する状態を示す縦断面図である。図７に実線で示す示すように、始めに、回転軸１７を中心に回転して固定部３ａを起立させる。ついで、垂下する昇降コード１５の下端部１６を、案内部２の案内溝９に挿通し、出口１０から突出する先端をつまんで固定部３ａ側に引き出し、ベース部１１ａとカバー部１３ａの間の軸部１２ａに１回又は２回巻き付ける。それから、鎖線で示すように、固定部３ａを元に戻す。この作業は、ボトムレール５の上面開口４から起立して突出する固定部３において行われるから、著しく容易である。第２実施例の上記以外の構成及び効果は第１実施例と同じである。
【００１５】
次に、第３実施例について説明する。図８は、第３実施例の平面図である。固定部３ｂは回転軸１７を介してベース１ｂに起立回転可能に支持される。固定部３ｂは、回転軸１７の中央から案内部２とは反対の方向に延長する平板状のベース部１１ｂと、そのベース部１１ｂに設ける３つのコード通し孔１８、１９、２０とからなる。３つのコード通し孔１８、１９、２０は、ベース部長手方向に１列に並ぶ。先端のコード通し孔は丸孔であるが、中間と根本のコード通し孔１９、２０は、上から見ると鋭利な頂角が相対向する２等辺３角形である。中間のコード通し孔１９は底が狭まる倒立３角錐であり、根本のコード通し孔２０は底が広まる正立３角錐である。
【００１６】
図９は、第３実施例を使用して昇降コードの下端部をりボトムレールに固定する状態を示す縦断面図である。垂下する昇降コード１５の下端部１６は、案内部２の案内溝９に挿通され、出口１０から突出する先端は、固定部３ｂ側に引き出され、それから、中間のコード通し孔２０に底から上へ通され、ついで、根元のコード通し孔２０に上から底へ通され、最後に、先端のコード通し孔２０に底から通される。昇降コード１５の下端部１６は、中間及び根元のコード通し孔１９、２０の頂角部に食い込み強固に固定される。この作業、第２実施例と同様に、回転軸１７ｂを回転し、固定部３ｂが起立する状態で実施する。第３実施例の上記以外の構成及び効果は第１実施例と同じである。
【図面の簡単な説明】
【００１７】
【図１】本発明の昇降コード固定機構第１実施例の平面図、
【図２】第１実施例の正面図、
【図３】第１実施例の側面図、
【図４】第１実施例の縦断面図、
【図５】第２実施例の平面図、
【図６】第２実施例の正面図、
【図７】第２実施例の縦断面図、
【図８】第３実施例の平面図、
【図９】第３実施例の縦断面図。
【符号の説明】
【００１８】
１、１ａ、１ｂ：ベース
２：案内部
３、３ａ、３ｂ：固定部
４：上面開口
５：ボトムレール
６：底面板部
７：リム
８：弾性突起
９：案内溝
１０：出口
１１、１１ａ、１１ｂ：ベース部
１２、１２ａ：軸部
１３、１３ａ：カバー部
１４、１４ａ：突起
１５：昇降コード
１６：下端部
１７：回転軸
１８：コード通し孔（先端）
１９：コード通し孔（中間）
２０：コード通し孔（根元）
【図１】
2005256513.tif 000003
【図２】
2005256513.tif 000004
【図３】
2005256513.tif 000005
【図４】
2005256513.tif 000006
【図５】
2005256513.tif 000007
【図６】
2005256513.tif 000008
【図７】
2005256513.tif 000009
【図８】
2005256513.tif 000010
【図９】
2005256513.tif 000011